(57)【要約】【課題】種々のプリンタ又は種々のトナーを用いて印刷された可変情報に対して文字オフセット等の画像不良が発生しない粉体接着剤の塗布方法を提供する。【解決手段】ポリエステル系樹脂又はスチレンアクリル系樹脂を主材料とした透明粉体から成る第１の粉体接着剤４１と、オレフィン系樹脂を主材料とした透明粉体から成る第２の粉体接着剤４２を用意する。圧着印刷物シートの圧着する２面３８−２と３８−３間において、圧着印刷物シート３８（３８−２）と第２の粉体接着剤４２との界面をＡ、第２の粉体接着剤４２同士間の界面をＢ、第２の粉体接着剤４２と第１の粉体接着剤４１の界面をＣ、第１の粉体接着剤４１と画像トナー３９との界面をＤ、画像トナー３９と圧着印刷物シート３８（３８−３）との界面をＥとすると、各界面の接着力がＣ≪Ｂ≦Ａ≪Ｄ、Ｃ≪Ｂ≦Ｅ≪Ｄとなるように画像トナー３９、第１及び第２の粉体接着剤４１及び４２間の特性が決められている。【選択図】      図７
2008173559.tif 000002
【特許請求の範囲】
【請求項１】
トナーと相溶性があり圧着用シート面にも接着性を有する第１の粉体接着剤と、
該第１の粉体接着剤との相溶性がなく圧着用シート面には接着性を有する第２の粉体接着剤とを用い、
前記圧着用シートの２面を圧着した際に該２面に挟まれる可変情報印刷部分のみを覆うように前記第１の粉体接着剤を塗布したのち、
前記２面の少なくとも１面の全面に前記第２の粉体接着剤を塗布する、
ことを特徴とする粉体接着剤の塗布方法。
【請求項２】
前記第１の粉体接着剤はポリエステル系樹脂又はスチレンアクリル系樹脂を主材料とした透明粉体であり、前記第２の粉体接着剤はオレフィン系樹脂を主材料とした透明粉体である、
ことを特徴とする粉体接着剤の塗布方法。
【請求項３】
前記可変情報は、電子写真方式によりトナーを現像し転写し定着して形成された可変情報であり、前記第１及び第２の粉体接着剤は、電子写真方式により現像し転写し定着されることにより塗布された接着剤である、ことを特徴とする請求項１記載の粉体接着剤の塗布方法。
【請求項４】
前記可変情報は、電子写真方式以外の印刷方式により形成された可変情報であり、前記第１及び第２の粉体接着剤は、電子写真方式により現像し転写し定着されることにより塗布された接着剤である、ことを特徴とする請求項１記載の粉体接着剤の塗布方法。
【発明の詳細な説明】
【技術分野】
【０００１】
本発明は、圧着印刷物用シートに対して電子写真方式により粉体接着剤を現像し転写し定着した後圧着面を圧着して圧着印刷物を作製する際の粉体接着剤の塗布方法に関する。
【背景技術】
【０００２】
従来、特定の個人のみへ文字情報を伝達するために、一般に、文字記載物を封書の形態にし、開封後に始めて当該個人が文字情報を確認できるようにしていた。
【０００３】
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００４】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００５】
このような圧着はがき等による印字情報秘匿システムを利用するには、従来、専門の製造業者に委託するか、高価な圧着はがき等製造・印刷装置を導入するかして秘匿情報を作成していた。
【０００６】
これらの圧着はがき等製造・印刷装置を用いて秘匿情報を作成するには、接着剤を情報印字の後に塗布する方法や、情報印字の前に塗布する方法等があるが、いずれにしても秘匿情報を大量に作成するという前提が必須であり高価であった。
【０００７】
また、そのような製造業者への委託は、個人情報の流出の問題も潜在的に存在しており好ましい秘匿情報の作成方法とはいえない。
ところで、近年、パソコンやプリンタの発達と相侯って、小規模事業所や個人でも利用できるように、少量単位でも簡易に圧着はがきを作成できるようにしたものも提案されている。
【０００８】
例えば、感圧接着剤を予め塗布した剥離紙付きはがき用紙が販売されている。これは、２つ折り内部の印字面に所定の文字情報等を印字後に、感圧接着剤部分を圧着して投函用の圧着はがきを完成させるものである。
【０００９】
また、例えば、粘着フイルムとはがき用紙を一組にしたものが販売されている。これは、２つ折り内部の印字面に所定の文字情報等を印字後に、２つ折り内部に粘着フイルムを挟むようにして圧着して、投函用の圧着はがきを作成できるようにしたものである。
【００１０】
しかしながら、これでもコスト高は避けられず、取り扱いが煩雑であり、個人的に数枚の圧着はがきを作成するのなら良いが、ある程度の枚数単位で、安価で、迅速に、且つ対需要即応体制で作成できるものではない。
【００１１】
そこで、粘着剤を内包したマイクロカプセルから成るトナー状粘着剤を静電印刷法により基材の表面に転写してフラッシュ定着させ、接着時には圧力によりマイクロカプセルを破壊しカプセル内の粘着剤を浸出させるようにして、圧着はがきを容易に作成できるとする提案がなされている。また、この提案では、粘着剤を溶融、混練、粉砕した粉砕トナーも示唆されている。（例えば、特許文献１参照。）
【００１２】
また、事務用プリンタや複写機の交換用の印字用カートリッジに圧着用物質を入れて、それら事務用プリンタ又は複写機による印字作業と同様の操作で圧着用物質を官製はがきや封筒に塗布し、その後、圧着専用機にかけるようにし、圧着専用機にかけるところまでを１台のプリンタ又は複写機で出来るとする提案がなされている。また、この提案では、二つ折りの片面、三つ折の中央両面に圧着用物質を塗布することが示唆されている。（例えば、特許文献２参照。）
【００１３】
また、感熱接着剤を含むトナーを用い、電子写真方式により画像を対需要即応式で作成する方法が提案されている。この提案では、感熱接着剤の軟化温度は電子写真方式用のトナーの結着樹脂の軟化温度よりも高くなるように構成し、また、感熱接着剤の電子写真方式用トナーに占める割合を５〜６０重量％とし、また、感熱接着剤の組成は熱接着性樹脂、ホットメルト及びワックス類からなる群より選ばれる１種類以上を含むようにすることが提案されている。（例えば、特許文献３参照。）
【特許文献１】特開平０９−１０４８４９号公報（段落０００５、００１４、図１、図３、図６）
【特許文献２】特開２０００−００６５５３号公報（要約、図なし）
【特許文献３】特開２００４−１２６２３１号公報（段落００８５〜００８７、図なし）
【発明の開示】
【発明が解決しようとする課題】
【００１４】
しかしながら、特許文献１の技術は、マイクロカプセル式のトナーについては構成及び組成について記載されてはいるが、粉砕トナーについては単なる思い付き程度に示唆されているのみであり、具体的な組成、製法、及び用法についての記載がなく、これでは、この分野の当業者といえども有用な粉砕トナーを作成することは勿論、試作することさえ出来ない。
【００１５】
また、特許文献２の技術は、圧着専用機にかける前までの官製はがきや封筒による印字情報秘匿書類を作成するものであり、投函用に完成するには圧着専用機にかけなければならない点で利便性と経済性に欠けるものであり、また対需要即応性には程遠いものと言わざるを得ない。
【００１６】
また、特許文献３の技術では、単に感熱接着剤の軟化温度が電子写真方式用のトナーの結着樹脂の軟化温度よりも高く設定されているというのみで、感熱接着剤を含むトナーの詳細な処方等の説明はない。
【００１７】
ところで、対需要即応性のある圧着はがきの作成方法としては、個人的にも使用できる小型の電子写真式プリンタのトナーカートリッジに収容して使用可能な粉体接着剤を具体的に実現し、その粉体接着剤を現像、転写及び定着によって同プリンタで可変情報を印字（又は印刷、以下同様）した紙面に塗布できればよいと考えられる。
【００１８】
但し、そのように印字後の用紙に対する接着剤の塗布を電子写真式プリンタを用いて行うものとすると、粉体接着剤は通常のトナーとほぼ同様の形態のものでないと、接着剤として塗布（現像、転写、及び定着）は出来ないと考えられる。
【００１９】
しかしながら、トナー状の圧着はがき用粉体接着剤は、従来の提案技術である上記の各特許文献には思い付き程度に示唆されてはいるものの、既に述べたように具体的な材料処方も具体的な用法も開示されていない。
【００２０】
また、そのようなトナー状の圧着はがき用粉体接着剤は今日まで市場に流通もしていない。流通している圧着はがき用粉体接着剤は液状または粘着シート状のものだけである。
【００２１】
そこで、本発明者は、上記従来の提案技術が示唆するところに基づいて、プリンタを用いて塗布できることを前提としたトナー状の接着剤を試作してみることにした。そして先ず、試作するトナー状接着剤の材料処方として、結着樹脂として、ポリエステルを約９５％、帯電制御剤として、ＬＲ１４７を約２％、ワックスとして、ｐｐを約２％とした。
【００２２】
尚、上記の材料処方は、圧着はがき用接着剤であること、及びプリンタを用いて塗布できること（つまりトナーと類似した粉体性質を持っていること）の両条件を満たすものとの考えに基づいて処方したものであり、ポリエステルは現在プリンタのトナーとして主に使用されている結着樹脂材料である。
【００２３】
次に、これらの材料を、三井鉱山製へンシェルミキサーＦＭ２０にて混合し、二軸連続混練機により混練した。その後、粗砕、粉砕、分級、を経て、最後にへンシェルミキサーにて疎水性シリカと混合し、中心粒径９μｍのトナーと類似の粉体を得た。
【００２４】
この粉体を、粉体接着剤として感光体ドラムに現像し、往復はがきの折り合わせ面に転写し、定着させて、用紙を取り出し、圧着専用機にかけて貼り合わせた。このとき、貼り合わせる貼り付けローラの設定温度を、１２０℃、１３０℃、１４０℃、１５０℃の４段階に分けて設定し、それぞれの設定温度において貼り合わせた圧着はがきを作成した。
【００２５】
この圧着はがきの貼り付けに上記のように圧着専用機を用い、貼り付けローラの温度設定に通常のトナーの溶融温度よりも高い温度が含まれているのは、それぞれ従来の提案技術の示唆に応じたものである。
【００２６】
そして、発明者は、上記のようにして、設定温度ごとに作製された圧着はがきの剥離力と文字オフセット性を評価してみることにした。尚、剥離力は、圧着はがきの貼り付け部を剥離する際の力の強さであり、文字オフセット性は、圧着はがきの貼り付け部を開封（剥離）したときに可変情報を印字したトナーが元々印字されていた面から部分的に脱離して接着対面へ転移し、鏡面反転状態のまだら状態の可変情報となって付着してしまうという現象を示している。
【００２７】
そして評価の結果は、はがきが貼りつく接着力（＝剥離力）の温度設定領域（１４０℃、１５０℃）においては、文字オフセットが発生するという問題があることが判明した。つまり、先行技術が示唆する範囲で作成された接着剤（軟化温度がトナーの結着樹脂の軟化温度よりも高い接着剤）では、通常トナーで可変情報を印字後に接着剤単体で印字面に塗布を行った場合、又は感熱接着剤を含むトナーで可変情報の画像を形成した場合、その後の接着剤による接着を実現するための加熱によって、紙面に定着されていたトナーが再溶融してしまい、文字オフセットが発生する。
【００２８】
この文字オフセット現象は、熱圧着で軟化溶融した可変情報印字トナーと接着剤の両者が共に強く結着し、はがきを開封するとき可変情報印字トナーが対向面の接着剤に強く引っ張られ、その力が紙と可変情報印字トナーとの接着力を凌いで、可変情報印字トナーが対向面側に転移することによって起こると考えられる。
【００２９】
この問題に対しては、ひとつには、加熱溶融接触させてもトナー材料と接着性の弱い材料を用いて粉体接着剤を作る。または、トナーの融点よりも低い融点の接着剤を用いると改善効果があることが実験の結果判明している。また、印字トナーと付着相性の無い、例えばオレフィン系材料を粉体接着剤の主材料として採用する等の対応も考えられる。
【００３０】
ところが、現今、市場にて稼動しているプリンタは多種あり、トナー材料も多種に亘っているから、トナー材料の違いにより、粉体接着剤との付着性はいろいろに変化する。したがって、或るトナーでは文字オフセット等の問題が発生せず良好な結果が得られても、別なトナーでは文字オフセットが発生してしまう可能性がある。
【００３１】
また、現在、トナーは低融点化傾向にあり、トナーより更に低融点の粉体接着材とすると、製造上の問題として、粉砕の困難性、分級の際に粒子が粗大化する、長期の保存で固化するなどの問題が新たな問題として発生することが容易に想定できるから、低融点化するという対応も実際問題としてかなり困難である。
【００３２】
本発明の課題は、上記従来の実情に鑑み、種々のプリンタ又は種々のトナーを用いて印刷された可変情報に対して文字オフセット等の画像不良が発生しない粉体接着剤の塗布方法を提供することである。
【課題を解決するための手段】
【００３３】
本発明の粉体接着剤の塗布方法は、トナーと相溶性があり圧着用シート面にも接着性を有する第１の粉体接着剤と、該第１の粉体接着剤との相溶性がなく圧着用シート面には接着性を有する第２の粉体接着剤とを用い、上記圧着用シートの２面を圧着した際に該２面に挟まれる可変情報印刷部分のみを覆うように上記第１の粉体接着剤を塗布したのち、上記２面の少なくとも１面の全面に上記第２の粉体接着剤を塗布する、ように構成される。
【００３４】
この粉体接着剤の塗布方法において、例えば、上記第１の粉体接着剤はポリエステル系樹脂又はスチレンアクリル系樹脂を主材料とした透明粉体であり、上記第２の粉体接着剤はオレフィン系樹脂を主材料とした透明粉体である。
【００３５】
また、粉体接着剤の塗布方法において、例えば、上記可変情報は、電子写真方式によりトナーを現像し転写し定着して形成された可変情報、又は電子写真方式以外の印刷方式により形成された可変情報であり、上記第１及び第２の粉体接着剤は、電子写真方式により現像し転写し定着されることにより塗布された接着剤である。
【発明の効果】
【００３６】
本発明によれば、種々のプリンタ又は種々のトナーを用いて印刷された可変情報に対して文字オフセット等の画像不良が発生しない粉体接着剤の塗布方法を提供することが可能となる。
【発明を実施するための最良の形態】
【００３７】
以下、本発明の実施の形態を図面を参照しながら説明する。
（実施形態１）
最初にトナー状の粉体接着剤の材料処方及び具体的な作製方法について説明する。
【００３８】
第１の粉体接着剤は、ポリエステル系樹脂又はスチレンアクリル系樹脂を主材料とし、その他、ワックス、帯電制御剤等の材料を一般的なトナー製造設備を用いて混練粉砕して径が約１０ミクロンの透明粒子を得る。その後、一般的な混合機によりシリカを外添して粉体接着剤とする。
【００３９】
この第１の粉体接着剤は、市販プリンタのトナーと付着しやすい性質を有しており、また、圧着印刷物用シートとして用いることが可能な普通紙にもよく接着する性質を有している。
【００４０】
次に、第２の粉体接着剤は、オレフィン系樹脂を主材料とし、その他、ワックス、帯電制御剤等の材料を一般的なトナー製造設備を用いて混練粉砕して径が約１０ミクロンの透明粒子を得る。その後、一般的な混合機によりシリカを外添して粉体接着剤とする。
【００４１】
この第２の粉体接着剤は、上記第１の粉体接着剤とは相溶性がなく、加熱と加圧で圧着されたのちも第１の粉体接着剤との接着性はないが、普通紙にはよく接着する性質を有している。
【００４２】
（実施形態２）
図１は、実施形態２としての圧着印刷物作製システムの構成を模式的に示す図である。同図に示すように、圧着印刷物作製システムは、印刷部１と粉体接着剤塗布装置２から成る。印刷部１は、コンピュータ３と画像形成装置４を備えている。粉体接着剤塗布装置２の内部構成については、詳しくは後述する。
【００４３】
上記のコンピュータ３は、本体５と、この本体５に接続された液晶表示装置６とキーボード７からなる。本体５は、特には図示しないが、ＣＰＵ(central processing unit）、ＲＯＭ(read only memory)、ＲＡＭ(Random Access Memory)、ＨＤ（hard disk)等を備えている。
【００４４】
オペレータは、コンピュータ３により印刷データ（相手先郵便番号、住所、相手先への通知内容など）を作成あるいは加工して、この印刷データを用いた画像形成装置４による印刷の実行をコンピュータ３に指示する。
【００４５】
また、画像形成装置４は、例えば４色のトナーを用いる通常の電子式画像形成装置であり、パーソナルコンピュータ３に接続され、そのパーソナルコンピュータ３からの指示に基づいて、二つ折り圧着印刷物用シートや三つ折り圧着印刷物用シートに、上記の印刷データに基づく詳しくは後述するような内容の印刷を実行する。
【００４６】
尚、粉体接着剤塗布装置２と印刷部１との電気的接続は、有線でも無線でもよく、無線による場合は、電波と限るものではなく、赤外線、超音波など相互通信できる方法であれば何を用いてもよい。
【００４７】
図２(a) は、上記の画像形成装置４で印刷される二つ折り（以下、Ｖ折りともいう）圧着印刷物用シートの印刷例を示す図であり、同図(b) は、三つ折り（以下、Ｚ折りという）圧着印刷物用シートの印刷例を示す図である。
【００４８】
同図(a) に示すように、Ｖ折り圧着印刷物用シート１１は、第１面（表面）が２つの単面に別れており、面ａには非秘匿情報１２と差出人名１３等が印刷され、面ｂには郵便番号１４、住所と宛名１５、識別用コード１６等が印刷されている。
【００４９】
また、第２面（裏面）も２つの単面に分かれており、図では陰になって見えないが、面ｃ及び面ｄには秘匿情報が印刷されている。このＶ折り圧着印刷物用シート１１は、最終的に折り線１７で山折りされる。
【００５０】
また、同図(b) は、図１で示したＺ折り圧着印刷物用シート８を示しており、第１面、第２面ともに３つの単面に分かれている。第１面は、図２(b) に示すように、面Ａ及び面Ｂには例えば請求明細書のような秘匿情報が２つの単面に連続して印刷され（勿論、単面ごとに別々でもよい）、面Ｃには同図(a) の面ｂと同様に、郵便番号１４、住所と宛名１５、識別用コード１６等が印刷されている。
【００５１】
また、第２面（裏面）も３つの単面に分かれており、図では陰になって見えないが、面Ｄには同図(a) の面ａと同様に非秘匿情報１２と差出人名１３等が印刷されており、面Ｅ及び面Ｆには、面Ａ及び面Ｂとは異なる秘匿情報が印刷されている。このＺ折り圧着印刷物用シート８は最終的に折り線１９で谷折りされ、折り線２１で山折りされる。
【００５２】
次に、秘匿情報印字面に適宜の型式のプリンタで可変情報を印字した後の二つ折り又は三つ折りの圧着印刷物用シートに、上記のように物性の異なる第１の粉体接着剤及び第２の粉体接着剤を塗布する粉体接着剤塗布装置について説明する。
【００５３】
図３は、可変情報印字済みの二つ折り又は三つ折りの圧着印刷物用シートに上述した第１の粉体接着剤及び第２の粉体接着剤を塗布するために使用される粉体接着剤塗布装置２の主要部の構成を模式的に示す側断面図である。
【００５４】
同図に示すように粉体接着剤塗布装置２は、少なくとも第１の接着剤塗布部２２と、第２の接着剤塗布部２３と、定着器２４と、両面印刷搬送機構２５とを備えている。
【００５５】
上記第１の接着剤塗布部２２には、第１の粉体接着剤が収容され、第２の接着剤塗布部２３には第２の粉体接着剤が収容されている。第１の接着剤塗布部２２と、第２の接着剤塗布部２３は、それぞれ収容されている粉体接着剤の物性が異なることを別にすれば、全体の構成は同一である。
【００５６】
そこで、第１の接着剤塗布部２２を取り上げて説明すれば、第１の接着剤塗布部２２は、少なくとも、感光体ドラム２６を中心にして、その感光体ドラム２６の周面を取り囲むように配置された帯電器２７、記録ヘッド２８、粉体接着剤現像器２９、その粉体接着剤現像器２９の下部側面開口部に回転可能に保持される現像ローラ３１を備えている。上記感光体ドラム２６と現像ローラ３１とは、その対向部で現像部を形成している。
【００５７】
更に、第１の接着剤塗布部２２には、上記の感光体ドラム２６の下面に接して搬送ベルト３２が配置され、この搬送ベルト３２を介して感光体ドラム２６の下面に圧接する転写ローラ３３が配置されている。上記感光体ドラム２６、搬送ベルト３２及び転写ローラ３３は、それらの対向部で転写部を形成している。
【００５８】
上記の搬送ベルト３２は、駆動ローラ３４と従動ローラ３５に掛け渡されて張設され、図の反時計回り方向に循環移動するように構成されている。
【００５９】
そして、その搬送ベルト３２の、圧着印刷物用シート搬送方向（図の右から左方向）下流側に定着器２４が配置されている。定着器２４は、少なくとも加熱ローラ３６と押圧ローラ３７を備えている。
【００６０】
（実施形態３）
図４(a) 〜(d) は、実施形態３としての圧着印刷物シートの展開された状態とそれへの粉体接着剤の塗布状態を示す図である。尚、図４(a) 〜(d) は、三つ折り圧着印刷物用シートの場合を例にとって示している。
【００６１】
また、図４では、粉体接着剤の塗布部分をハッチング（図４(b),(d) ）で示しているが、実際には粉体接着剤は前述したように透明であり、粉体接着剤を塗布した下地のシート面に予め印刷されている印刷画像（可変情報の印字文字又は画像、以下同様）は粉体接着剤の塗布層を通して透けて見えているものである。
【００６２】
また、三つ折り圧着印刷物用シートのシート面に印刷されている印刷画像は、公開可能な情報及び秘匿すべき情報ともに、手元にあるプリンタ（機種は問わない）で個人的に印刷したものでよい。
【００６３】
図４(a) は、接着剤無加工の三つ折り圧着印刷物用シート３８の宛名記載面３８−１を有する第１面（表面）の三つ折り前の展開した状態を示している。そして、同図(b) は、その第１面の圧着すべき２面３８−２及び３８−３に、それぞれ物性の異なる第１と第２の粉体接着剤が塗布された状態を示している。
【００６４】
また、図４(c) は、上記接着剤無加工の三つ折り圧着印刷物用シート３８の差出人記載面３８−４を有する第２面（裏面）の三つ折り前の展開した状態を示している。そして、同図(d) は、その第２面の圧着すべき２面３８−５及び３８−６に、物性の異なる第１と第２の粉体接着剤が塗布された状態を示している。
【００６５】
図５(a),(b),(c) は、圧着印刷物用シート３８に対する第１の粉体接着剤と第２の粉体接着剤による接着剤塗布の態様を示す図である。尚、図５(a),(b),(c) も、三つ折り圧着印刷物用シート３８を例にとって示している。また、図５(a),(b),(c) には、それぞれ左に折り前の展開図を示し、右にその側断面を示している。
【００６６】
図５(a) は、三つ折り圧着印刷物用シート３８の秘匿情報印刷面３８−２（又は３８−３、３８−５、３８−６、以下同様）に、トナー又はトナー以外のインク材で印刷された秘匿情報としての可変情報の印刷部分３９を示している。
【００６７】
また、図５(b) は、その秘匿情報としての可変情報の印刷部分３９のみを覆うように第１の粉体接着剤４１が塗布された状態を示している。そして、図５(c) は、そのように第１の粉体接着剤４１が塗布された後で秘匿情報印刷面３８−２全面に第２の粉体接着剤４２が塗布された状態を示している。
【００６８】
上記の図４(a) 〜(d) 、図５(a),(b),(c) 及び前述の図３を再び用いて、本発明における粉体接着剤の塗布方法について以下に説明する。
【００６９】
先ず、上記第１の接着剤塗布部２２は、帯電器２７で初期化帯電された感光体ドラム２６の周面に、記録ヘッド２８により所定のパターンの静電潜像を形成し、この静電潜像を、現像部で、現像ローラ３１により第１の粉体接着剤を現像する。
【００７０】
上記のパターンは可変情報の印刷部分３９の画像データにより示される印刷画素集団（印刷画素が切れ目なく繋がっている集団）よりも少なくとも１画素分以上広がりのある印刷画素集団である。
【００７１】
搬送ベルト３２は、三つ折り圧着印刷物用シート３８の三つ折り前の展開された長手方向を搬送方向として、三つ折り圧着印刷物用シート３８を図３及び図４(a) の矢印ａで示すように搬送する。
【００７２】
第１の接着剤塗布部２２の現像部で現像された第１の粉体接着剤の現像パターンの先端が第１の接着剤塗布部２２の転写部に回転搬送されてくるタイミングで、その転写部に、三つ折り圧着印刷物用シート３８の第１面の圧着すべき２面の一方の面３８−２の転写開始部が搬送されてくる。
【００７３】
その一方の面３８−２に、第１の接着剤塗布部２２の転写部により第１の粉体接着剤の現像パターンが転写され、続いて、一方の面３８−２に続く他方の面３８−３にも第１の粉体接着剤の現像パターンが転写される。
【００７４】
これにより、図５(b) に示したように、秘匿情報としての可変情報の印刷部分３９のみを覆うように第１の粉体接着剤４１が塗布される。
【００７５】
このように、第１面の圧着すべき２面３８−２及び３８−３に、第１の粉体接着剤を転写された三つ折り圧着印刷物用シート３８は、図３及び図４(b) の矢印ｂで示すように搬送されて、第１面を上にして定着器２４を通過し、通過しながら第１の粉体接着剤が三つ折り圧着印刷物用シート３８の圧着すべき２面３８−２及び３８−３に定着される。
【００７６】
定着器２４を通過した三つ折り圧着印刷物用シート３８は、図３及び図４(b) の矢印ｃ及びｄで示すように、両面印刷搬送機構２５によって搬送され、その先で単純なＵターンを行って再び第１面を上にして搬送ベルト３２の上循環移動部による搬送状態となる。
【００７７】
そして第２の接着剤塗布部２２の現像部で現像されたベタ画像の第２の粉体接着剤の現像パターンの先端が第２の接着剤塗布部２２の転写部に回転搬送されてくるタイミングで、その転写部に、三つ折り圧着印刷物用シート３８の第１面の圧着されない面３８−１と圧着すべき２面の一方の面３８−２の境界部が搬送されてくる。
【００７８】
そして一方の面３８−２と他方の面３８−３に、第２の接着剤塗布部２３の転写部により第２の粉体接着剤のベタ画像の現像パターンが転写される。
【００７９】
これにより、図５(c) に示すように、第１の粉体接着剤４１が塗布された後の秘匿情報印刷面３８−２全面に第２の粉体接着剤４２が塗布される。
【００８０】
このように第１面の圧着すべき２面３８−２及び３８−３の全面に第２の粉体接着剤を転写された三つ折り圧着印刷物用シート３８は、図３及び図４(b) の矢印ｂで示すように搬送されて、第１面を上にして定着器２４を通過し、通過しながら第２の粉体接着剤が三つ折り圧着印刷物用シート３８の圧着すべき２面３８−２及び３８−３に定着される。
【００８１】
定着器２４を通過した三つ折り圧着印刷物用シート３８は、図３及び図４(b) の矢印ｃ及びｄで示すように、三度目として両面印刷搬送機構２５により搬送され、今度は搬送面及び搬送方向を反転される。
【００８２】
両面印刷搬送機構２５により搬送面及び搬送方向を反転された三つ折り圧着印刷物用シート３８は、反転前の搬送方向後端を反転後の搬送方向前端とし、第２面を上にして、図３及び図４の矢印ｅ、ｆ、ｇ、ｈ及びｉで示すように搬送され、搬送ベルト３２の上循環移動部による搬送状態となる。
【００８３】
そして、上記と同様にして第２面の圧着すべき２面３８−５及び３８−６の秘匿情報の可変情報の印刷部分３９のみを覆うように第１の粉体接着剤４１を塗布され、更にその第２面の圧着すべき２面３８−５及び３８−６の全面に第２の粉体接着剤を転写されて、定着器２４を通過し、通過しながら第２の粉体接着剤を２面３８−２及び３８−３に定着される。
【００８４】
図６(a) は、そのように第１の粉体接着剤及び第２の粉体接着剤を塗布された三つ折り圧着印刷物用シート３８を三つ折りにする直前の状態を示し、同図(b) は三つ折りにした状態を示し、同図(c) は、三つ折りにした三つ折り圧着印刷物用シート３８を熱圧着する貼付け工程（投函直前の圧着印刷物の状態に作成する工程）を示す図である。
【００８５】
尚、同図(c) に示す貼付け工程では、粉体接着剤塗布装置２１の定着器２４を用い、定着器２４の定着温度は、三つ折り圧着印刷物用シート３８が三つ折りで３倍の紙厚になっているので、高い定着温度で定着器２４を通すようにする。もちろん貼付け専用機としてもよいし、小型の貼付け専用機を粉体接着剤塗布装置２１に内蔵するようにしてもよい。
【００８６】
図７(a) は、可変情報の印字を種々の電子写真式プリンタによる種々のトナーで行って上記のようにして投函直前の圧着印刷物として完成した三つ折り圧着印刷物用シート３８の第１面の秘匿情報圧着面３８−２及び３８−３の状態を示す断面図であり、同図(b) は、その一点鎖線で示す範囲Ｐの拡大図である。
【００８７】
図７(a),(b) に示す三つ折り圧着印刷物用シート３８の第１面の秘匿情報圧着面３８−２及び３８−３の開封結果は、いずれの電子写真式プリンタ及び種々のトナーで行った場合でも、文字オフセットおよび文字欠損等が無く、きわめて良好であった。
【００８８】
また、可変情報の文字印字を、上記同様の方法にて、別種の数種類のレーザープリンタや、ＬＥＤプリンタにて印字して圧着印刷物として完成したものを開封した場合でも、いずれも文字オフセットおよび文字欠損等が無く、開封結果は良好であった。
【００８９】
以上より、市販の種々のプリンタを用いて可変情報を印字したものに、第１及び第２の粉体接着剤を上述した方法で塗布することにより、圧着印刷物として完成した後に開封した場合に、文字オフセットも文字欠損もない良好な圧着印刷物を作製できることが判明した。
【００９０】
ここで、第１及び第２の粉体接着剤を上述した方法で塗布することにより、圧着印刷物として完成した後に開封して文字オフセットも文字欠損も発生しない理由について、図７(b) の構成をモデルとして考察する。
【００９１】
上記の文字オフセットや文字欠損等の画像不良が発生する場合の画像不良は印字部分に発生する。そこで、印字部分を含む各層における接着面の接着力（剥離力）を考える。
【００９２】
剥離力の測定条件としては、測定器には島津製作所製の引っ張り試験機ＡＧＳ−２０ＮＪを用い、試験シート片には普通紙を上記の条件で貼り合わせた巾２５ｍｍのものを用い、引っ張り速度は３００ｍ／ｍｉｎとしてＴ字試験を行った。
【００９３】
前述の処方にて試作した本例の第１の粉体接着剤４１及び第２の粉体接着剤４２は、相互の付着性が弱く、これらの粉体接着剤をそれぞれ塗布したシートを対向させて加熱溶融状態で貼り合わせ、冷却後剥離してみると、ほとんど接着することはなく、剥離力測定によると０．０４Ｎ／２５ｍｍ以下であった。
【００９４】
また、第１の粉体接着剤４１は、現在市販されているトナーと相性がよく、同様に加熱溶融して貼り合わせると非常によく付着する。特に十分な加熱を行った場合には、剥離時にシートが破れるほどよく接着する。剥離力測定によると、およそ１Ｎ／２５ｍｍ以上であった。
【００９５】
上記の事柄を考慮にいれて、図７(b) に示すモデルの各接着面境界における接着力の大小を考えると、図７(b) に示すように、Ｃ≪Ｂ≦Ａ≪Ｄ、Ｃ≪Ｂ≦Ｅ≪Ｄとなる。但し、ＡとＥの関係は全体的に存在する可能性があると考えられる。
【００９６】
従って、開封の際の剥離面は一番接着力の小さい接着力Ｃである第１の粉体接着剤４１と第２の粉体接着剤４２との境界面となる。
【００９７】
ところで、文字オフセットは、本例では第１の粉体接着剤４１と文字部分での境界で剥離する場合にのみ発生する現象である。本例の圧着印刷物では、この境界面では剥離しないことを考えると文字オフセットや文字欠損が発生しないことが判る。
【００９８】
また、どのようなプリンタを用いて可変情報を印字しても、つまり種々の材料特性を持つトナーを用いて可変情報を印字しても、第１の粉体接着剤４１と第２の粉体接着剤４２間の位置関係は変わらず、かつ、常にこの境界面が剥離面となるから、画像不良のない良好な圧着印刷物が得られることになる。
【００９９】
尚、第２の粉体接着剤４２の塗布方法としては、貼り合わせる面の両面に塗布する場合と片面のみに塗布する場合があり、本例では図７(a),(b) に示したように、両面に第２の粉体接着剤を塗布する場合を用いて説明したが、片面のみに塗布するようにしてもよい。
【０１００】
そのように第２の粉体接着剤４２を片面のみに塗布する場合でも、説明の主要なる部分は同じなので、片面塗布の場合の説明は省略する。
【図面の簡単な説明】
【０１０１】
【図１】実施形態２としての圧着印刷物作成システムの構成を模式的に示す図である。
【図２】(a) は二つ折り（Ｖ折り）圧着印刷物用シートの印刷例を示す図、(b) は３つ折り（Ｚ折り）圧着印刷物用シートの印刷例を示す図である。
【図３】実施形態２における物性の異なる２種類の粉体接着剤を塗布するために使用される粉体接着剤塗布装置の主要部の構成を模式的に示す側断面図である。
【図４】(a) 〜(d) 実施形態３としての圧着印刷物シートの展開された状態とそれへの粉体接着剤の塗布状態を示す図である。
【図５】(a),(b),(c) は実施形態３における圧着印刷物用シートに対する第１の粉体接着剤と第２の粉体接着剤による接着剤塗布の態様を示す図である。
【図６】(a) は第１及び第２の粉体接着剤を塗布された三つ折り圧着印刷物用シートを三つ折りにする直前の状態を示す図、(b) は三つ折りにした状態を示す図、(c) は三つ折りにした三つ折り圧着印刷物用シートを熱圧着する貼付け工程を示す図である。
【図７】(a) は投函直前の圧着印刷物として完成した三つ折り圧着印刷物用シートの第１面の秘匿情報圧着面の状態を示す断面図、(b) はその破線で示す範囲Ａの拡大図である。
【符号の説明】
【０１０２】
１      印刷部
２      粉体接着剤塗布部
３      コンピュータ
４      画像形成装置
５      本体
６      液晶表示装置
７      キーボード
８      ３つ折り（Ｚ折り）圧着はがき用紙
８´    完成Ｚ折り圧着はがき
９      有線又は無線
１１    ２つ折り（Ｖ折り）圧着はがき用紙
１１´  完成Ｖ折り圧着はがき
１２    非秘匿情報
１３    差出人名
１４    郵便番号
１５    住所と宛名
１６    識別用コード
１７    折り線
１８    秘匿情報
１９、２１  折り線
２１    粉体接着剤塗布装置
２２    第１の画像形成部
２３    第２の画像形成部
２４    定着器
２５    両面印刷搬送機構
２６    光体ドラム
２７    帯電器
２８    記録ヘッド
２９    粉体接着剤現像器
３１    現像ローラ
３２    搬送ベルト
３３    転写ローラ
３４    駆動ローラ
３５    従動ローラ
３６    加熱ローラ
３７    押圧ローラ
３８    三つ折り圧着印刷物用シート
３８−１  宛名記載面
３８−２、３８−３  第１面の圧着すべき２面
３８−４  差出人の公開情報記載面
３８−５、３８−６  第２面の圧着すべき２面
３９    可変情報印刷部分
４１    第１の粉体接着剤
４２    第２の粉体接着剤
【図２】
2008173559.tif 000003
【図１】
2008173559.tif 000004
【図３】
2008173559.tif 000005
【図４】
2008173559.tif 000006
【図５】
2008173559.tif 000007
【図６】
2008173559.tif 000008
【図７】
2008173559.tif 000009